(57)【要約】【課題】光無線通信機を設置する際に太陽光の影響を定量的に判断できるようにする光無線通信機の設置支援装置、設置支援方法およびプログラムを提供する。【解決手段】実施形態の光無線通信機の設置支援装置は、少なくとも、光無線通信を行う第１光無線通信機と第２光無線通信機の各々の設置位置と、第１光無線通信機と第２光無線通信機とを結ぶ光軸中心線の水平線に対する傾きを表す仰角と、の入力を受け付ける入力受付部と、入力された第１光無線通信機と第２光無線通信機の各々の設置位置と、入力された仰角と、光無線通信機に影響を及ぼす太陽光の入射角の最大値を表す影響角度と、通年に亘る太陽位置とに基づいて、第１光無線通信機と第２光無線通信機の各々が太陽光の影響を受けるか否かを判定する影響判定部と、影響判定部による判定結果を表示装置に表示させる表示制御部と、を備える。【選択図】図３
2020167617.tif 000002
【特許請求の範囲】
【請求項１】
光無線通信機の設置を支援する設置支援装置であって、
少なくとも、光無線通信を行う第１光無線通信機と第２光無線通信機の各々の設置位置と、前記第１光無線通信機と前記第２光無線通信機とを結ぶ光軸中心線の水平線に対する傾きを表す仰角と、の入力を受け付ける入力受付部と、
入力された前記第１光無線通信機と前記第２光無線通信機の各々の設置位置と、入力された前記仰角と、光無線通信機に影響を及ぼす太陽光の入射角の最大値を表す影響角度と、通年に亘る太陽位置とに基づいて、前記第１光無線通信機と前記第２光無線通信機の各々が太陽光の影響を受けるか否かを判定する影響判定部と、
前記影響判定部による判定結果を表示装置に表示させる表示制御部と、を備えることを特徴とする光無線通信機の設置支援装置。
【請求項２】
前記表示制御部は、前記第１光無線通信機と前記第２光無線通信機の少なくとも一方が太陽光の影響を受けると判定された場合、太陽光の影響を受ける日時帯を前記表示装置に表示させることを特徴とする請求項１に記載の光無線通信機の設置支援装置。
【請求項３】
前記入力受付部は、前記影響角度の入力をさらに受け付け、
前記影響判定部は、入力された前記第１光無線通信機と前記第２光無線通信機の各々の設置位置と、入力された前記仰角と、入力された前記影響角度と、通年に亘る太陽位置とに基づいて、前記第１光無線通信機と前記第２光無線通信機の各々が太陽光の影響を受けるか否かを判定することを特徴とする請求項１または２に記載の光無線通信機の設置支援装置。
【請求項４】
前記第１光無線通信機と前記第２光無線通信機の各々の設置位置の入力は、前記表示装置に表示された地図上で位置を指定することにより行われることを特徴とする請求項１乃至３のいずれか一項に記載の光無線通信機の設置支援装置。
【請求項５】
入力された前記第１光無線通信機と前記第２光無線通信機の各々の設置位置に基づいて、前記第１光無線通信機と前記第２光無線通信機との間の距離を算出するとともに、算出した距離が予め定めた適正通信距離の範囲内か否かを判定する距離算出部をさらに備え、
前記表示制御部は、前記距離算出部が算出した距離および該距離が前記適正通信距離の範囲内か否かの判定結果を前記表示装置にさらに表示させることを特徴とする請求項１乃至４のいずれか一項に記載の光無線通信機の設置支援装置。
【請求項６】
前記表示制御部は、入力された前記第１光無線通信機と前記第２光無線通信機の各々の設置位置を表す位置情報と、前記第１光無線通信機と前記第２光無線通信機とを結ぶ光軸中心線が指し示す方角と、を前記表示装置にさらに表示させることを特徴とする請求項１乃至５のいずれか一項に記載の光無線通信機の設置支援装置。
【請求項７】
前記入力受付部は、前記第１光無線通信機と前記第２光無線通信機の周辺で太陽光を反射する反射面の位置と、該反射面の地面と垂直な方向に対する傾きと、の入力をさらに受け付け、
前記影響判定部は、入力された前記反射面の位置および前記傾きにさらに基づいて、前記第１光無線通信機と前記第２光無線通信機の各々が太陽光の影響を受けるか否かを判定することを特徴とする請求項１乃至６のいずれか一項に記載の光無線通信機の設置支援装置。
【請求項８】
前記影響判定部による判定結果を含む結果情報をファイルとして保存する保存部と、
保存された前記ファイルを読み出して前記結果情報を前記表示装置に表示させる読出部と、をさらに備えることを特徴とする請求項１乃至７のいずれか一項に記載の光無線通信機の設置支援装置。
【請求項９】
光無線通信機の設置を支援する設置支援方法であって、
少なくとも、光無線通信を行う第１光無線通信機と第２光無線通信機の各々の設置位置と、前記第１光無線通信機と前記第２光無線通信機とを結ぶ光軸中心線の水平線に対する傾きを表す仰角と、の入力を受け付けるステップと、
入力された前記第１光無線通信機と前記第２光無線通信機の各々の設置位置と、入力された前記仰角と、光無線通信機に影響を及ぼす太陽光の入射角の最大値を表す影響角度と、通年に亘る太陽位置とに基づいて、前記第１光無線通信機と前記第２光無線通信機の各々が太陽光の影響を受けるか否かを判定するステップと、
前記第１光無線通信機と前記第２光無線通信機の各々が太陽光の影響を受けるか否かの判定結果を表示装置に表示させるステップと、を含むことを特徴とする光無線通信機の設置支援方法。
【請求項１０】
コンピュータに、
少なくとも、光無線通信を行う第１光無線通信機と第２光無線通信機の各々の設置位置と、前記第１光無線通信機と前記第２光無線通信機とを結ぶ光軸中心線の水平線に対する傾きを表す仰角と、の入力を受け付ける入力受付部の機能と、
入力された前記第１光無線通信機と前記第２光無線通信機の各々の設置位置と、入力された前記仰角と、光無線通信機に影響を及ぼす太陽光の入射角の最大値を表す影響角度と、通年に亘る太陽位置とに基づいて、前記第１光無線通信機と前記第２光無線通信機の各々が太陽光の影響を受けるか否かを判定する影響判定部の機能と、
前記影響判定部による判定結果を表示装置に表示させる表示制御部の機能と、を実現させるためのプログラム。
【発明の詳細な説明】
【技術分野】
【０００１】
本発明の実施形態は、光無線通信機の設置支援装置、設置支援方法およびプログラムに関する。
【背景技術】
【０００２】
正対して設置された一対の光無線通信機の間で光を用いた双方向通信を行う光無線通信システムが知られている。この光無線通信システムでは、一方の光無線通信装置が伝送すべき信号に応じてオンオフ変調した光を出射すると、この光が空間伝送されて他方の光無線通信装置で受光され、元の信号に復元される。また、他方の光無線通信装置が伝送すべき信号に応じてオンオフ変調した光を出射すると、この光が空間伝送されて一方の光無線通信装置で受光され、元の信号に復元される。
【０００３】
光無線通信機を屋外に設置する場合、太陽光が光無線通信機に入射することによって安定的な通信が阻害されることがあるため、太陽光の影響を考慮した上で適切な設置位置を検討する必要がある。しかし、これまでは光無線通信機を設置する作業者が感覚的に太陽光の影響を判断していたため、実際に光無線通信機を設置して動作させた後に太陽光の影響によって通信障害が生じていることが判明し、事後的な対応が求められる場合があった。このため、光無線通信機を設置する際に太陽光の影響を定量的に判断できるようにすることが望まれている。
【０００４】
特許文献１には、光を用いて車車間通信を行う際に、太陽光の影響があると判断されると受光部の受信感度を下げるとともに発光部の発光出力を上げることで、光無線通信の機能低下を抑制する技術が記載されている。しかし、光無線通信機を屋外に固定的に設置する際に太陽光の影響を定量的に判断できるようにする手法は知られていない。
【先行技術文献】
【特許文献】
【０００５】
【特許文献１】特開２００７−３０４６９６号公報
【発明の概要】
【発明が解決しようとする課題】
【０００６】
本発明が解決しようとする課題は、光無線通信機を設置する際に太陽光の影響を定量的に判断できるようにする光無線通信機の設置支援装置、設置支援方法およびプログラムを提供することである。
【課題を解決するための手段】
【０００７】
実施形態の無線通信機の設置支援装置は、入力受付部と、影響判定部と、表示制御部と、を備える。入力受付部は、少なくとも、光無線通信を行う第１光無線通信機と第２光無線通信機の各々の設置位置と、前記第１光無線通信機と前記第２光無線通信機とを結ぶ光軸中心線の水平線に対する傾きを表す仰角と、の入力を受け付ける。影響判定部は、入力された前記第１光無線通信機と前記第２光無線通信機の各々の設置位置と、入力された前記仰角と、光無線通信機に影響を及ぼす太陽光の入射角の最大値を表す影響角度と、通年に亘る太陽位置とに基づいて、前記第１光無線通信機と前記第２光無線通信機の各々が太陽光の影響を受けるか否かを判定する。表示制御部は、前記影響判定部による判定結果を表示装置に表示させる。
【図面の簡単な説明】
【０００８】
【図１】図１は、実施形態の設置支援装置のハードウェア構成の一例を示すブロック図である。
【図２】図２は、実施形態の設置支援装置を実現するソフトウェアの階層構造の一例を示す図である。
【図３】図３は、実施形態の設置支援装置の機能的な構成の一例を示すブロック図である。
【図４】図４は、ＵＩ画面の一例を示す図である。
【図５】図５は、仰角を説明する図である。
【図６】図６は、影響角度を説明する図である。
【図７】図７は、方角を説明する図である。
【図８】図８は、太陽位置を説明する図である。
【図９】図９は、通信機が太陽光の影響を受けるか否かを判定する方法の一例を説明する図である。
【図１０】図１０は、ＵＩ画面の一例を示す図である。
【図１１】図１１は、ユーザの操作手順を説明するフローチャートである。
【図１２】図１２は、影響判定部および表示制御部の処理手順を説明するフローチャートである。
【図１３】図１３は、距離算出部および表示制御部の処理手順を説明するフローチャートである。
【図１４】図１４は、変形例におけるＵＩ画面の一例を示す図である。
【図１５】図１５は、構造物による反射光の影響を説明する図である。
【発明を実施するための形態】
【０００９】
以下、添付図面を参照しながら、実施形態の光無線通信機の設置支援装置、設置支援方法およびプログラムについて詳細に説明する。本実施形態は、光を用いて双方向通信を行う一対の光無線通信機の設置を支援するものであり、特に、光無線通信機を設置する際に太陽光の影響を定量的に判断できるようにするものである。
【００１０】
図１は、本実施形態の設置支援装置１０のハードウェア構成の一例を示すブロック図である。本実施形態の設置支援装置１０は、例えば図１に示すように、ＣＰＵ（Central  Processing  Unit）などのプロセッサ１１と、ＲＡＭ（Random  Access  Memory）やＲＯＭ（Read  Only  Memory）などのメモリ１２と、ＨＤＤ（Hard  Disk  Drive）やＳＳＤ（Solid  State  Drive）などのストレージデバイス１３と、液晶ディスプレイなどの表示装置１４と、タッチパネルやマウス、キーボードなどの入力装置１５と、装置外部と通信を行う通信Ｉ／Ｆ１６とを備えた一般的なコンピュータシステムとしてのハードウェア構成を有する端末装置を用いて実現することができる。
【００１１】
このような端末装置としては、例えば、スマートフォン、タブレット端末、ノート型ＰＣ（パーソナルコンピュータ）、デスクトップ型ＰＣなどが挙げられる。本実施形態の設置支援装置１０は、このような端末装置のハードウェアとソフトウェアとの協働により実現される。以下では、本実施形態の設置支援装置１０のハードウェアとしてスマートフォンを用いることを想定するが、タブレット端末、ノート型ＰＣ、デスクトップ型ＰＣなどの他の端末装置を用いてもよい。
【００１２】
図２は、本実施形態の設置支援装置１０を実現するソフトウェアの階層構造の一例を示す図である。本実施形態の設置支援装置１０の各機能は、例えば図２に示すように、ＯＳ（Operating  System）２１上で稼働するＷｅｂブラウザ２２の機能を利用して設置支援プログラム２３を実行することにより実現される。設置支援プログラム２３は、例えばＪａｖａＳｃｒｉｐｔ（登録商標）で記述されて所定のＷｅｂサイト上で管理され、通信Ｉ／Ｆ１６を用いてＷｅｂブラウザ２２がこのＷｅｂサイトにアクセスすることで設置支援装置１０内に読み込み、Ｗｅｂブラウザ２２上で実行することができる。なお、設置支援プログラム２３は、アプリ提供サイトから提供されるアプリケーションソフトとして開発され、設置支援装置１０が通信Ｉ／Ｆ１６を用いてアプリ提供サイトから設置支援プログラム２３をダウンロードし、ストレージデバイス１３などにインストールできる形態であってもよい。
【００１３】
図３は、本実施形態の設置支援装置１０の機能的な構成の一例を示すブロック図である。本実施形態の設置支援装置１０は、例えば、Ｗｅｂブラウザ２２の機能を利用して提供されるＵＩ（ユーザインタフェース）画面４０を通じて、設置支援装置１０のユーザによる入力を受け付け、各種情報をユーザに提示する。本実施形態ではスマートフォンへの適用を想定するため、ＵＩ画面４０は、例えば、表示装置１４と入力装置１５とが一体となったタッチパネル式液晶ディスプレイに表示される。
【００１４】
また、この設置支援装置１０は、例えばプロセッサ１１がメモリ１２を利用しながら設置支援プログラム２３を実行することで実現される機能的な構成要素として、図３に示すように、入力受付部３１と、影響判定部３２と、距離算出部３３と、表示制御部３４と、保存部３５と、読込部３６とを備える。
【００１５】
まず、ＵＩ画面４０について説明する。図４は、ＵＩ画面４０の一例を示す図である。このＵＩ画面４０は、Ｗｅｂブラウザ２２が設置支援プログラム２３を実行することにより表示装置１４に表示される。このＵＩ画面４０は、図４に示すように、地図表示領域４１と、ボタン配置領域４２と、ユーザ入力領域４３と、結果表示領域４４とを含む。
【００１６】
地図表示領域４１は、ユーザが一対の光無線通信機の設置位置を指定（入力）するための地図を表示する領域である。ユーザは、例えば地図表示領域４１内の「検索」入力ボックス４５に任意の住所あるいは施設名などのキーワードを入力することで、任意の地図を地図表示領域４１に表示させることができる。地図表示領域４１に表示される地図は、例えば所定の地図提供サイトから取得される。地図表示領域４１に表示される地図は、例えば地図表示領域４１内でのピンチイン・ピンチアウト操作により任意の縮尺に縮小・拡大することができる。また、地図表示領域４１に表示される地図は、例えば地図表示領域４１内でのスワイプ操作やフリック操作によりスクロールさせることができる。また、図４に示す例のように、地図表示領域４１内に「地図／航空写真」ボタン４６を設け、この「地図／航空写真」ボタン４６の操作により地図表示と写真表示とを切り替えられるようにしてもよい。
【００１７】
ユーザは、この地図表示領域４１に表示されている地図上で、一対の光無線通信機を設置しようとしている位置を例えばタップ操作などにより順次指定することにより、一対の光無線通信機の設置位置を入力することができる。ここで、一対の光無線通信機のうち、先に設置位置が指定される光無線通信機を通信機１（第１光無線通信機）とし、次に設置位置が指定される光無線通信機を通信機２（第２光無線通信機）とする。地図上で指定された通信機１および通信機２の設置位置には、マーカ４７が各々重畳される。マーカ４７内の数値により、その設置位置が通信機１か通信機２かが識別される。
【００１８】
ボタン配置領域４２は、ユーザが操作可能なボタンが配置される領域である。例えば、「実行」ボタン４８、「消去」ボタン４９、「保存」ボタン５０、「読込」ボタン５１、「地図保存」ボタン５２の各種ボタンが、ボタン配置領域４２に配置される。
【００１９】
「実行」ボタン４８は、設置支援装置１０に対して演算の実行を指示する際に操作されるボタンである。「消去」ボタン４９は、地図上で指定した通信機１や通信機２の設置位置を無効化する際に操作されるボタンである。この「消去」ボタン４９が操作されると、地図上のマーカ４７が消去される。
【００２０】
「保存」ボタン５０は、結果表示領域４４に表示されている情報をファイルとして保存する際に操作されるボタンである。「読込」ボタン５１は、ファイルとして保存されている情報を読み込んで結果表示領域４４に表示する際に操作されるボタンである。「読込」ボタン５１の操作に応じて結果表示領域４４に情報が表示されると、その情報に対応する通信機１および通信機２の設置位置にマーカ４７が重畳された地図が地図表示領域４１上で復元される。「地図保存」ボタン５２は、地図表示領域４１に表示されている地図をファイルとして保存する際に操作されるボタンである。ボタン配置領域４２に配置されるこれらの各種ボタンは、例えば、各々のボタンの表示位置に対するタップ操作によって操作することができる。
【００２１】
ユーザ入力領域４３は、ユーザが数値を入力するための領域である。このユーザ入力領域４３には、例えば、後述の仰角を入力するための「仰角」入力ボックス５３と、後述の影響角度を入力するための「影響角度」入力ボックス５４とが設けられている。また、ユーザ入力領域４３には、通信機１および通信機２の設置が完了した後に利用されるものとして、通信機１および通信機２の各々の受信信号強度を示すＲＳＳＩ（Received  Signal  Strength  Indicator）が入力される「ＲＳＳＩ」入力ボックス５５が設けられている。これらの入力ボックスへの数値の入力は、例えば、入力ボックスの表示位置をタップすることで画面上に現れるテンキーなどを用いて行うことができる。
【００２２】
結果表示領域４４は、設置支援装置１０による演算結果を含む各種情報を表示する領域である。各々の情報は、項目とそれに対応する値の組合せとして結果表示領域４４に表示される。例えば、「住所」の項目に対応する値として、地図表示領域４１に表示されている地図上で指定された通信機１の設置位置（通信機１に対応するマーカ４７が重畳された位置）の住所が表示される。また、「通信機１」の項目に対応する値として、地図上で指定された通信機１の設置位置（地図上のマーカ４７の位置）の緯度および経度が表示され、「通信機２」の項目に対応する値として、地図上で指定された通信機２の設置位置（地図上のマーカ４７の位置）の緯度および経度が表示される。また、「方角」の項目に対応する値として、通信機１の設置位置から通信機２の設置位置に向かう方角と、通信機２の設置位置から通信機１の設置位置に向かう方角とが表示される。
【００２３】
また、「通信距離」の項目に対応する値として、通信機１の設置位置と通信機２の設置位置との間の距離と、その距離に応じたＲＳＳＩの目安と、その距離が予め定めた適正通信距離の範囲内か否かの判定結果（ＯＫ／ＮＧ）とが表示される。また、「影響日時」の項目に対応する値として、通信機１および通信機２が太陽光の影響を受けるか否かの判定結果が表示される。太陽光の影響を受けるか否かの判定結果は、影響を受けないとの判定結果であれば、例えば「太陽光の影響はありません」といったメッセージが表示され、影響を受けるとの判定結果であれば、太陽光の影響を受ける日時帯が表示される。
【００２４】
本実施形態の設置支援装置１０では、ユーザがＵＩ画面４０を利用して、地図表示領域４１に表示されている地図上で通信機１の設置位置および通信機２の設置位置を指定（入力）し、「仰角」入力ボックス５３に仰角、「影響角度」入力ボックス５４に影響角度をそれぞれ入力して、「実行」ボタン４８を操作することにより、各種の演算が行われる。そして、この演算結果を含む各種情報がＵＩ画面４０の結果表示領域４４に表示される。
【００２５】
なお、ＵＩ画面４０は、例えば地図表示領域４１外でのピンチイン・ピンチアウト操作により、画面全体を任意の大きさに縮小・拡大して表示装置１４に表示することができる。また、ＵＩ画面４０は、例えば地図表示領域４１外でのスワイプ操作やフリック操作によりスクロールさせることができる。これにより、表示装置１４の表示サイズの制約によりＵＩ画面４０が見づらくなることを抑制できる。
【００２６】
次に、図３に示す設置支援装置１０の機能的な各部について説明する。入力受付部３１は、ＵＩ画面４０を利用したユーザによる入力を受け付ける。具体的には、入力受付部３１は、地図表示領域４１上での通信機１および通信機２の各々の設置位置の入力、ユーザ入力領域４３での仰角、影響角度の入力などを受け付ける。入力受付部３１が受け付けたユーザの入力は、影響判定部３２に渡される。
【００２７】
仰角は、図５に示すように、通信機１と通信機２とを結ぶ光軸中心線Ｌ１の水平線Ｌ２に対する傾きθ１を表す角度である。つまり、仰角は通信機１から見た通信機２の高度に相当する。通信機１よりも通信機２が高い位置にある場合、仰角は正の値をとり、通信機１よりも通信機２が低い位置にある場合、仰角は負の値をとる。
【００２８】
影響角度は、図６に示すように、光無線通信機（通信機１および通信機２）に影響を及ぼす太陽光の入射角（光無線通信機の光軸中心線Ｌ１に対する入射光の傾き）の最大値θ２を表す。つまり、通信機１や通信機２に対する太陽光の入射角が影響角度以下であれば通信機１や通信機２は太陽光の影響を受け、通信機１や通信機２に対する太陽光の入射角が影響角度よりも大きければ通信機１や通信機２は太陽光の影響を受けないと判断する。本実施形態では、光無線通信機の構造によって影響角度が異なることを考慮して、影響角度をユーザが入力できるようにしているが、影響角度を例えば１０度などの固定の値としてもよい。この場合、ユーザは仰角の入力を行わないため、ＵＩ画面４０の「影響角度」入力ボックス５４は不要となる。
【００２９】
影響判定部３２は、ユーザによる「実行」ボタン４８の操作に応じて起動し、ユーザにより入力された通信機１および通信機２の各々の設置位置、仰角、影響角度と、通年に亘る太陽位置とに基づいて、通信機１と通信機２の各々が太陽光の影響を受けるか否かを判定する。
【００３０】
具体的には、影響判定部３２は、まず、ユーザにより入力された通信機１および通信機２の各々の設置位置の緯度・経度を抽出する。そして、通信機１の設置位置の緯度・経度と通信機２の設置位置の緯度・経度をもとに、通信機１の設置位置から通信機２の設置位置に向かう方角と、通信機２の設置位置から通信機１の設置位置に向かう方角とをそれぞれ算出する。通信機１の設置位置から通信機２の設置位置に向かう方角は、図７中の角度θ３で表され、通信機２の設置位置から通信機１の設置位置に向かう方角は、図７中の角度θ４で表される。
【００３１】
次に、影響判定部３２は、通信機１の設置位置から通信機２の設置位置に向かう方角と、仰角と、影響角度とに基づいて、通信機１の影響範囲Ｒ１を算出する。また、影響判定部３２は、通信機２の設置位置から通信機１の設置位置に向かう方角と、仰角と、影響角度とに基づいて、通信機２の影響範囲Ｒ２を算出する。通信機１，２の影響範囲Ｒ１，Ｒ２は、図６に示すように、通信機１，２の光軸中心線Ｌ１から影響角度の範囲を、通信機１，２の光軸中心線Ｌ１に対して垂直な平面に投射したときの円の領域である。
【００３２】
通信機１の影響範囲Ｒ１は、例えば図９に示すように、方位（単位は度）をＸ軸、高度（単位は度）をＹ軸とした２次元座標上で、通信機１の設置位置から通信機２の設置位置に向かう方角をｘの値、仰角をｙの値とする座標点を中心とし、影響角度を半径とする円として考えることができる。同様に、通信機２の影響範囲Ｒ２は、通信機１の影響範囲Ｒ１と方位（単位は度）をＸ軸、高度（単位は度）をＹ軸とした２次元座標上で、通信機２の設置位置から通信機１の設置位置に向かう方角をｘの値、仰角をｙの値とする座標点を中心とし、影響角度を半径とする円として考えることができる。
【００３３】
通信機１の影響範囲Ｒ１および通信機２の影響範囲Ｒ２がそれぞれ算出されると、影響判定部３２は、通信機１の設置位置と通信機２の設置位置の各々を基準とした場合の太陽位置を、例えば１５分刻みなどの所定の時間間隔で通年に亘って（つまり３６５日分）順次計算する。そして、太陽位置が通信機１の影響範囲Ｒ１内に入る場合があれば、通信機１は太陽光の影響を受けると判断する。また、太陽位置が通信機２の影響範囲Ｒ２内に入る場合があれば、通信機２は太陽光の影響を受けると判断する。
【００３４】
太陽位置は、ある地点（観測点）におけるある時刻での太陽の位置を示し、太陽高度ｈと太陽方位角Ａとにより定められる。太陽高度ｈは、図８に示すように、ある観測点Ｑと太陽を結ぶ直線と、その直線を地表面へ投射したときの投射線とがなす角（仰角）として定義される。太陽方位角Ａは、ある観測点Ｑと太陽を結ぶ直線の地表面への投射線と正南方向とがなす角として定義される。
【００３５】
任意の観測点における任意時刻の太陽高度ｈと太陽方位角Ａは、例えば、理科年表に掲載されている値を用いて、下記式（１）乃至式（３）により計算することができる。
ｃｏｓ（ｈ）ｓｉｎ（Ａ）＝−ｃｏｓ（δ）ｓｉｎ（Ｈ）  ・・・（１）
ｃｏｓ（ｈ）ｃｏｓ（Ａ）＝ｃｏｓ（φ）ｓｉｎ（δ）−ｓｉｎ（φ）ｃｏｓ（δ）ｃｏｓ（Ｈ）  ・・・（２）
ｓｉｎ（ｈ）＝ｓｉｎ（φ）ｓｉｎ（δ）＋ｃｏｓ（φ）ｃｏｓ（δ）ｃｏｓ（Ｈ）  ・・・（３）
ここで、δは太陽の視赤緯、Ｈは時角、φは観測点の緯度である。
【００３６】
太陽高度ｈと太陽方位角Ａを求める時刻から標準時（日本の場合は９ｈ）を差し引いた時刻をｔ、観測地点の経度（経度は、東経をプラス、西経をマイナスで表し、１５で除算して時間の単位にする）をλ、世界時０ｈのグリニジ視恒星時をθ０、太陽の視赤経をαとすると、時角Ｈは下記式（４）により表される。
Ｈ＝θ０＋ｔ×１．００２７３７９＋λ−α  ・・・（４）
ここで、Ｈの値が負になれば２４ｈを加え、Ｈの値が２４ｈを超えれば２４ｈを引く。
【００３７】
なお、理科年表に掲載されている太陽の視赤緯δおよび視赤経αは世界時０ｈの値であるが、上記の時刻ｔと、観測日における太陽の視赤緯δおよび視赤経αの年表掲載値δ０，α０と、観測日の翌日における太陽の視赤緯δおよび視赤経αの年表掲載値δ１，α１とを用い、下記式（５）および式（６）により、上記の式に代入する太陽の視赤緯δおよび視赤経αを求めることができる。
δ＝（δ１−δ０）×ｔ／２４＋δ０  ・・・（５）
α＝（α１−α０）×ｔ／２４＋α０  ・・・（６）
【００３８】
なお、以上で説明した太陽位置の計算方法は一例であり、本実施形態に適用可能な計算方法はこれに限らない。本実施形態では、通信機１，２の設置位置を観測点として所定の時間間隔で通年に亘る太陽位置を計算可能なあらゆる計算方法を適用することができる。例えば、理科年表に掲載された値を用いずに太陽位置を計算することも可能である。
【００３９】
通信機１の設置位置と通信機２の設置位置の各々を観測点として順次計算される太陽位置は、例えば図９に示す２次元座標（Ｘ軸が方位、Ｙ軸が高度）上の点として捉えることができる。影響判定部３２は、例えば１５分刻みで計算した３６５日分の太陽位置が通信機１の影響範囲Ｒ１内に入ることがなければ、通信機１は太陽光の影響を受けないと判断し、通信機１の影響範囲Ｒ１内に太陽位置が入ることがあれば、通信機１は太陽光の影響を受けると判断する。そして、通信機１が太陽光の影響を受けると判断した場合、影響判定部３２は、太陽位置が通信機１の影響範囲Ｒ１内に入る日時の範囲を、通信機１が太陽光の影響を受ける日時帯として求める。
【００４０】
また、影響判定部３２は、例えば１５分刻みで計算した３６５日分の太陽位置が通信機２の影響範囲Ｒ２内に入ることがなければ、通信機２は太陽光の影響を受けないと判断し、通信機２の影響範囲Ｒ２内に太陽位置が入ることがあれば、通信機２は太陽光の影響を受けると判断する。そして、通信機２が太陽光の影響を受けると判断した場合、影響判定部３２は、太陽位置が通信機２の影響範囲Ｒ２内に入る日時の範囲を、通信機２が太陽光の影響を受ける日時帯として求める。
【００４１】
影響判定部３２による判定結果（通信機１，２が太陽光の影響を受けるか否か、影響を受ける場合はその日時帯）は、通信機１，２の設置位置の緯度・経度および通信機１，２の方角（通信機１の設置位置から通信機２の設置位置に向かう方角と、通信機２の設置位置から通信機１の設置位置に向かう方角）とともに、表示制御部３４に渡される。また、通信機１，２の設置位置の緯度・経度は、距離算出部３３にも渡される。
【００４２】
距離算出部３３は、ユーザによる「実行」ボタン４８の操作に応じて起動し、通信機１，２の設置位置の緯度・経度を影響判定部３２から取得して、通信機１と通信機２との間の距離を算出する。そして、距離算出部３３は、算出した通信機１と通信機２との間の距離が、予め定めた適正通信距離の範囲（例えば２０ｍ〜１００ｍ）内か否かを判定する。距離算出部３３が算出した通信機１と通信機２との間の距離と、この距離が適正通信距離の範囲内か否かの判定結果は、表示制御部３４に渡される。
【００４３】
表示制御部３４は、影響判定部３２および距離算出部３３から取得した各種の情報を、ＵＩ画面４０の結果表示領域４４における各項目に対応する値として、表示装置１４に表示させる。なお、「住所」の項目に対応する値は、例えば所定の地図提供サイトから取得した地図データに含まれる、通信機１の設置位置（通信機１に対応するマーカ４７が重畳された位置）の住所を表示する。また、「通信距離」の項目のＲＳＳＩの目安の値は、上述の適正通信距離の範囲を複数の距離範囲に区分してそれぞれの距離区分ごとに想定されるＲＳＳＩの値を事前に定めておき、これら距離区分ごとに定めたＲＳＳＩの値のうち、距離算出部３３から取得した通信機１と通信機２との間の距離が属する距離区分に対応するＲＳＳＩの値を表示する。
【００４４】
図４に示したＵＩ画面４０の例では、距離算出部３３により算出された通信機１と通信機２との間の距離が２３．６５４ｍであり、この距離は適正通信距離の範囲内であるため、「通信距離」の項目の通信機間の値として“２３．６５４ｍ”、判定の値として“ＯＫ”がそれぞれ表示されている。また、ＲＳＳＩの目安の値として、２３．６５４ｍが属する距離区分に対応する値として事前に定めた“３．８５ｖ以上”が表示されている。ユーザは、この表示を参照することで、地図表示領域４１の地図上で指定した通信機１，２の設置位置であれば、通信機１，２間で適正に通信が可能であることを認識できる。また、ＲＳＳＩの目安の値は、地図表示領域４１の地図上で指定した通信機１，２の設置位置に実際に通信機１，２を設置する際の光軸合わせに利用できる。つまり、ＲＳＳＩの目安の値が“３．８５ｖ以上”であれば、通信機１，２の双方で３．８５ｖ以上のＲＳＳＩが得られるように両者の相対的な向きを調整することで、通信機１，２の光軸合わせを効率よく行うことができる。
【００４５】
また、図４に示したＵＩ画面４０の例では、影響判定部３２により通信機１，２の双方が太陽光の影響を受けると判定されたため、「影響日時」の項目の通信機１の値と通信機２の値との双方に、それぞれが太陽光の影響を受ける日時帯が表示されている。具体的には、通信機１は２月２４日から４月５日までの期間に朝方の５：４５から６：４５まで太陽光の影響を受け、９月８日から１０月２０日までの期間に朝方の５：３０から６：１５まで太陽光の影響を受けることが示されている。また、通信機２は３月１４日から４月２６の期間に夕方の１７：３０から１８：１５まで太陽光の影響を受け、８月１６日から９月３０日の期間に夕方の１７：１５から１８：１５まで太陽光の影響を受けることが示されている。
【００４６】
ユーザは、この表示を参照することで、地図表示領域４１の地図上で指定した通信機１，２の設置位置では、通信機１は朝方、通信機２は夕方にそれぞれ太陽光の影響を受けることがあることを認識できる。そして、例えば、太陽光の影響を受ける時間帯に通信を行うことがなければ、地図表示領域４１の地図上で指定した設置位置に通信機１，２を設置しても問題ないと判断することができ、また、太陽光の影響を受ける時間帯に通信を行うことがあれば、通信機１，２の設置位置を再検討する必要があると判断できる。通信機１，２の設置位置を再検討する必要があると判断した場合、ユーザは、ＵＩ画面４０のボタン配置領域４２に配置されている「消去」ボタン４９を操作して地図上のマーカ４７を消去し、通信機１，２の各々の設置位置を地図上で新たに指定することができる。また、「消去ボタン」４９を操作することなく、地図上のマーカ４７の位置をドラッグ＆ドロップ操作などにより移動させることで、通信機１，２の各々の設置位置を地図上で新たに指定するようにしてもよい。
【００４７】
図１０は、図４に示したＵＩ画面４０においてユーザが「消去」ボタン４９を操作して地図上のマーカ４７を消去し、地図を縮小した上で通信機１，２の設置位置を新たに指定し、「実行」ボタン４８を操作した場合のＵＩ画面４０の例である。ここでは、仰角や影響角度は図４に示したＵＩ画面４０で入力した値に変更はなく、その値が維持されているものとする。
【００４８】
図１０に示すＵＩ画面４０の例では、距離算出部３３により算出された通信機１と通信機２との間の距離が６０．７１６ｍであり、この距離は適正通信距離の範囲内であるため、「通信距離」の項目の通信機間の値として“６０．７１６ｍ”、判定の値として“ＯＫ”がそれぞれ表示されている。また、ＲＳＳＩの目安の値として、６０．７１６ｍが属する距離区分に対応する値として事前に定めた“３．５５ｖ以上”が表示されている。ユーザは、この表示を参照することで、地図表示領域４１の地図上で新たに指定した通信機１，２の設置位置であれば、３．５５ｖ以上のＲＳＳＩが得られれば通信機１，２間で通信が可能であることを認識できる。
【００４９】
また、図１０に示したＵＩ画面４０の例では、影響判定部３２により通信機１，２の双方が太陽光の影響を受けないと判定されたため、「影響日時」の項目の通信機１の値と通信機２の値との双方に、それぞれ“太陽光の影響はありません”といったメッセージが表示されている。ユーザは、この表示を参照することで、地図表示領域４１の地図上で新たに指定した通信機１，２の設置位置であれば、通信機１，２間で太陽光の影響を受けずに適切に通信を行うことができ、地図表示領域４１の地図上で新たに指定した設置位置に通信機１，２を設置しても問題ないと判断することができる。
【００５０】
なお、図４および図１０に例示したＵＩ画面４０は一例であり、ＵＩ画面４０の構成は適宜変更してもよい。例えば、図４および図１０に例示したＵＩ画面４０では、結果表示領域４４に地図の中心の住所、通信機１，２の各々の設置位置の緯度・経度および方角などを表示しているが、これらの情報は内部で保持し、結果表示領域４４には表示しない構成としてもよい。また、図４および図１０に例示したＵＩ画面４０では、ユーザ入力領域４３に「ＲＳＳＩ」入力ボックス５５が設けられているが、この「ＲＳＳＩ」入力ボックス５５は、通信機１，２の設置が完了した後に実際に通信機１，２の双方でＲＳＳＩを測定した実測値を入力するものであり、通信機１，２の設置位置を検討する際の有用性は低いため、ユーザ入力領域４３に「ＲＳＳＩ」入力ボックス５５を設けない構成であってもよい。
【００５１】
保存部３５は、ユーザによる「保存」ボタン５０の操作に応じて起動し、「保存」ボタン５０が操作された時点でＵＩ画面４０の結果表示領域４４に表示されている各種情報を、例えばｃｓｖファイルの形式で保存する。このとき、ユーザ入力領域４３の「ＲＳＳＩ」入力ボックス５５に通信機１，２のＲＳＳＩの実測値が入力されている場合には、これら通信機１，２のＲＳＳＩの実測値も併せて保存される。また、保存部３５は、ユーザによる「地図保存」ボタン５２の操作に応じて起動し、「地図保存」ボタン５２が操作された時点でＵＩ画面４０の地図表示領域４１に表示されている地図を保存する。これら各種情報や地図の保存先は、設置支援装置１０の内部であっても外部であってもよい。
【００５２】
読込部３６は、ユーザによる「読込」ボタン５１の操作に応じて起動し、保存部３５が所定の保存先に保存した各種情報や地図のうち、ユーザにより選択されたものを読み込んで結果表示領域４４や地図表示領域４１に表示させる。すなわち、ユーザにより「読込」ボタン５１が操作されると、読込部３６は、まず、所定の保存先にファイルとして保存されている各種情報や地図の一覧をＵＩ画面４０上に表示する。そして、この一覧の中からユーザによって任意のファイルが選択されると、その選択されたファイルを保存先から読み込んで展開し、結果表示領域４４に各種情報を表示したり、地図表示領域４１に地図を表示したりする。選択されたファイルに通信機１，２のＲＳＳＩの実測値も併せて保存されている場合は、これら通信機１，２のＲＳＳＩの実測値も表示する。
【００５３】
本実施形態の設置支援装置１０では、これら保存部３５および読込部３６を備えることにより、ユーザ操作に応じた過去の演算結果などをログとして残したり再現したりすることが可能となっている。また、ユーザは、通信機１，２の設置が完了した後に「ＲＳＳＩ」入力ボックス５５に通信機１，２のＲＳＳＩの実測値を入力し、「保存」ボタン５０を操作すれば、通信機１，２の設置作業の実績として残すこともできる。
【００５４】
次に、以上のように構成される本実施形態の設置支援装置１０の動作について説明する。まず、図１１を参照して、ユーザが通信機１，２の設置位置を検討する際に設置支援装置１０に対して行う操作について説明する。図１１は、ＵＩ画面４０を用いたユーザの操作手順を説明するフローチャートである。
【００５５】
本実施形態の設置支援装置１０が動作を開始すると、表示装置１４にＵＩ画面４０が表示される。ユーザは、このＵＩ画面４０の地図表示領域４１に所望の地図を表示させ、設置しようとしている通信機１と通信機２の各々の設置位置を地図上で指定する（ステップＳ１０１）。
【００５６】
次に、ユーザは、ＵＩ画面４０のユーザ入力領域４３に設けられている「仰角」入力ボックス５３に所望の仰角を入力し（ステップＳ１０２）、「影響角度」入力ボックス５４に、通信機１，２の構造に依存する影響角度を入力する（ステップＳ１０３）。そして、ユーザは、ＵＩ画面４０のボタン配置領域４２に配置されている「実行」ボタン４８を操作する（ステップＳ１０４）。
【００５７】
これらＵＩ画面４０を用いたユーザの操作は、入力受付部３１により受け付けられる。そして、「実行」ボタン４８の操作が入力受付部３１により受け付けられた時点で影響判定部３２および距離算出部３３が起動し、影響判定部３２および距離算出部３３により各種の演算が行われる。
【００５８】
次に、図１２を参照して、「実行」ボタン４８が操作された後の影響判定部３２および表示制御部３４の動作について説明する。図１２は、影響判定部３２および表示制御部３４の処理手順を説明するフローチャートである。
【００５９】
影響判定部３２は、「実行」ボタン４８の操作に応じて起動すると、まず、地図上で設置位置が指定された通信機１と通信機２の各々の緯度・経度を抽出する（ステップＳ２０１）。そして、影響判定部３２は、これら通信機１と通信機２の各々の緯度・経度をもとに、通信機１と通信機２の各々の方角を算出する（ステップＳ２０２）。通信機１の方角は、通信機１の設置位置から通信機２の設置位置に向かう方角であり、通信機２の方角は、通信機１の設置位置から通信機２の設置位置に向かう方角である。
【００６０】
次に、影響判定部３２は、ステップＳ２０２で算出した通信機１と通信機２の各々の方角と、ユーザにより入力された仰角と、ユーザにより入力された影響角度とに基づいて、通信機１と通信機２の各々の影響範囲Ｒ１，Ｒ２を算出する（ステップＳ２０３）。また、影響判定部３２は、通信機１の設置位置を観測点とした通年に亘る太陽位置と、通信機２の設置位置を観測点とした通年に亘る太陽位置とを算出する（ステップＳ２０４）。
【００６１】
通年に亘る太陽位置は、例えば１５分刻みなどの所定間隔で、通信機１，２の設置位置を観測点としたときの上述の太陽高度ｈと太陽方位角Ａとを３６５日分算出する。すなわち、１月１日の０：００からスタートし、１２月３１日の２３：４５まで、通信機１，２の設置位置を観測点としたときの上述の太陽高度ｈと太陽方位角Ａとを順次算出する。なお、日没から日の出までの時間帯が把握できれば、これらの時間帯における計算をスキップして太陽位置の算出は省略するようにしてもよい。
【００６２】
次に、影響判定部３２は、ステップＳ２０３で算出した通信機１の影響範囲Ｒ１内にステップＳ２０４で算出した太陽位置が入ることがあるかどうかを確認する（ステップＳ２０５）。そして、通信機１の影響範囲Ｒ１内に太陽位置が入ることがあれば（ステップＳ２０５：Ｙｅｓ）、影響判定部３２は、通信機１が太陽光の影響を受けると判断し、通信機１が太陽光の影響を受ける旨の判定結果と、通信機１が太陽光の影響を受ける日時帯（太陽位置が通信機１の影響範囲Ｒ１内に入る日時の範囲）を表示制御部３４に渡す。この場合、表示制御部３４は、ＵＩ画面４０の結果表示領域４４における「影響日時」の項目の通信機１の値として、通信機１が太陽光の影響を受ける日時帯を表示させる（ステップＳ２０６）。
【００６３】
一方、通信機１の影響範囲Ｒ１内に太陽位置が入ることがなければ（ステップＳ２０５：Ｎｏ）、影響判定部３２は、通信機１が太陽光の影響を受けないと判断し、通信機１が太陽光の影響を受けない旨の判定結果を表示制御部３４に渡す。この場合、表示制御部３４は、ＵＩ画面４０の結果表示領域４４における「影響日時」の項目の通信機１の値として、通信機１が太陽光の影響を受けない旨のメッセージ、例えば“太陽光の影響はありません”といったメッセージを表示させる（ステップＳ２０７）。
【００６４】
同様に、影響判定部３２は、ステップＳ２０３で算出した通信機２の影響範囲Ｒ２内にステップＳ２０４で算出した太陽位置が入ることがあるかどうかを確認する（ステップＳ２０８）。そして、通信機２の影響範囲Ｒ２内に太陽位置が入ることがあれば（ステップＳ２０８：Ｙｅｓ）、影響判定部３２は、通信機２が太陽光の影響を受けると判断し、通信機２が太陽光の影響を受ける旨の判定結果と、通信機２が太陽光の影響を受ける日時帯（太陽位置が通信機２の影響範囲Ｒ２内に入る日時の範囲）を表示制御部３４に渡す。この場合、表示制御部３４は、ＵＩ画面４０の結果表示領域４４における「影響日時」の項目の通信機２の値として、通信機２が太陽光の影響を受ける日時帯を表示させる（ステップＳ２０９）。
【００６５】
一方、通信機２の影響範囲Ｒ２内に太陽位置が入ることがなければ（ステップＳ２０８：Ｎｏ）、影響判定部３２は、通信機２が太陽光の影響を受けないと判断し、通信機２が太陽光の影響を受けない旨の判定結果を表示制御部３４に渡す。この場合、表示制御部３４は、ＵＩ画面４０の結果表示領域４４における「影響日時」の項目の通信機２の値として、通信機２が太陽光の影響を受けない旨のメッセージ、例えば“太陽光の影響はありません”といったメッセージを表示させる（ステップＳ２１０）。
【００６６】
次に、図１３を参照して、「実行」ボタン４８が操作された後の距離算出部３３および表示制御部３４の動作について説明する。図１３は、距離算出部３３および表示制御部３４の処理手順を説明するフローチャートである。
【００６７】
距離算出部３３は、「実行」ボタン４８の操作に応じて起動すると、地図上で設置位置が指定された通信機１と通信機２の各々の緯度・経度を影響判定部３２から取得して、これら通信機１と通信機２との間の距離を算出する（ステップＳ３０１）。このとき、ユーザにより入力された仰角が所定値を超える場合は、この仰角の値も考慮して、通信機１と通信機２との間の距離をより正確に算出するようにしてもよい。
【００６８】
次に、距離算出部３３は、ステップＳ３０１で算出した距離が予め定めた適正通信距離の範囲内か否かを判定する（ステップＳ３０２）。そして、ステップＳ３０１で算出した距離が適正通信距離の範囲内であれば（ステップＳ３０２：Ｙｅｓ）、距離算出部３３は、ステップＳ３０１で算出した距離と判定結果：ＯＫとを表示制御部３４に渡す。この場合、表示制御部３４は、ＵＩ画面４０の結果表示領域４４における「通信距離」の項目の通信機間の値としてステップＳ３０１で算出された距離、判定の値として“ＯＫ”、ＲＳＳＩの目安の値として、ステップＳ３０１で算出された距離が属する距離区分に対応するＲＳＳＩの値を表示させる（ステップＳ３０３）。
【００６９】
一方、ステップＳ３０１で算出した距離が適正通信距離の範囲外であれば（ステップＳ３０２：Ｎｏ）、距離算出部３３は、ステップＳ３０１で算出した距離と判定結果：ＮＧとを表示制御部３４に渡す。この場合、表示制御部３４は、ＵＩ画面４０の結果表示領域４４における「通信距離」の項目の通信機間の値としてステップＳ３０１で算出された距離、判定の値として“ＮＧ”を表示させる（ステップＳ３０４）。
【００７０】
以上、具体的な例を挙げながら詳細に説明したように、本実施形態の設置支援装置１０によれば、設置しようとしている一対の光無線通信機である通信機１および通信機２の各々の設置位置、仰角および影響角度の入力を受け付け、これら通信機１，２の設置位置、仰角および影響角度と通年に亘る太陽位置とに基づいて、通信機１，２が太陽光の影響を受けるか否かを判定し、その判定結果を表示させるようにしている。したがって、ユーザは、本実施形態の設置支援装置１０を用いることで、光無線通信機を設置する際に太陽光の影響を定量的に判断することができ、太陽光の影響を考慮した通信機１，２の適切な設置位置を検討することができる。
【００７１】
また、本実施形態の設置支援装置１０によれば、通信機１，２が太陽光の影響を受けると判定した場合は太陽光の影響を受ける日時帯を表示させるようにしているので、ユーザは、その日時帯に通信機１，２が通信を行うかどうかによって、通信機１，２が太陽光の影響を受けることで問題が生じるかどうかを判断することができる。
【００７２】
また、本実施形態の設置支援装置１０によれば、地図上での位置の指定により通信機１，２の設置位置を入力できるようにしているので、ユーザは直感的に通信機１，２の設置位置を入力することができる。
【００７３】
また、本実施形態の設置支援装置１０によれば、入力された通信機１，２の設置位置をもとにこれら通信機１と通信機２との間の距離を算出し、算出した距離と、この距離が予め定めた適正通信距離の範囲内かどうかの判定結果をさらに表示させるようにしているので、ユーザは、入力した設置位置に通信機１，２を実際に設置した場合に適正な通信が可能かどうかを事前に認識することができる。
【００７４】
また、本実施形態の設置支援装置１０によれば、太陽光の影響の判定結果を含む各種情報（結果情報）をファイルとして保存し、保存したファイルを適宜読み出して表示できるようにしているので、ユーザ操作に応じた過去の演算結果などをログとして残したり再現したりすることが可能となる。
【００７５】
＜変形例＞
なお、上述の実施形態では、通信機１，２の影響範囲Ｒ１，Ｒ２に太陽位置が入ることがあるかどうかにより通信機１，２が太陽光の影響を受けるか否かを判定したが、さらに、通信機１，２の設置位置周辺の壁などの構造物での反射光も考慮して、通信機１，２が太陽光の影響を受けるか否かを判定する構成としてもよい。
【００７６】
図１４は、本変形例におけるＵＩ画面４０の一例を示す図である。本変形例では、ＵＩ画面４０の地図表示領域４１の近傍に、この地図表示領域４１に表示されている地図上で通信機１，２の設置位置を指定する場合に操作される「通信機」ボタン５６と、壁などの構造物の位置を指定する際に操作される「壁」ボタン５７とが追加されている。また、ＵＩ画面４０のユーザ入力領域４３に、壁などの構造物の傾斜角を入力する「壁の傾斜角」入力ボックス５９が追加されている。
【００７７】
本変形例では、地図表示領域４１に表示されている地図上で通信機１，２の設置位置を指定する場合、ユーザは、「通信機」ボタン５６をタップ操作などにより操作した後、地図表示領域４１に表示されている地図上で、通信機１，２を設置しようとしている位置をタップ操作などにより順次指定する。また、地図表示領域４１に表示されている地図上で壁などの構造物の位置を指定する場合、ユーザは、「壁」ボタン５７をタップ操作などにより操作した後、地図表示領域４１に表示されている地図上で、壁などの構造物の両端部の位置をタップ操作などにより順次指定する。地図上で指定された壁などの構造物の両端部の位置にはポインタ５８ａ，５８ｂが各々重畳され、これらポインタ５８ａ，５８ｂを結ぶ直線が壁位置５８として強調表示される。
【００７８】
また、地図表示領域４１に表示されている地図上で壁などの構造物の位置を指定した場合、ユーザは、さらにユーザ入力領域４３に設けられた「壁の傾斜角」入力ボックス５９に、壁などの構造物の傾斜角を入力することができる。この傾斜角は、例えば図１５に示すように、地面に垂直な垂線Ｌ３に対する構造物６０の側面（反射面）の傾きθ５を表す角度である。
【００７９】
本変形例では、ユーザが構造物６０の位置および傾斜角を入力すると、これらの入力が入力受付部３１によってさらに受け付けられる。そして、影響判定部３２は、上述の太陽位置に基づく太陽光の影響有無の判定に加えて、構造物６０での反射光（正反射光）による影響有無も判定する。具体的には、影響判定部３２は、図１５に示すように、通信機１，２の設置位置と構造物６０の位置および傾斜角θ５とに基づいて、通年に亘って順次計算された太陽位置のそれぞれについて、太陽光が構造物６０の側面（反射面）で正反射して通信機１，２に入射する際の入射角θ６を算出する。そして、構造物６０の側面（反射面）で正反射する太陽光の入射角θ６が通信機１，２の影響角度θ２以下となることがあれば、太陽位置が通信機１，２の影響範囲Ｒ１，Ｒ２内に入ることがない場合であっても、通信機１，２は太陽光の影響を受けるものと判断する。
【００８０】
このように、本変形例によれば、通信機１，２の設置位置周辺の壁などの構造物での反射光も考慮して、通信機１，２が太陽光の影響を受けるか否かを判定できるようにしているので、上述の実施形態よりもさらに高精度に太陽光の影響有無を判定することができる。
【００８１】
以上、本発明の具体的な実施形態について説明したが、上述した実施形態は本発明の一適用例を示したものである。本発明は、上述した実施形態そのままに限定されるものではなく、実施段階ではその要旨を逸脱しない範囲で、種々の省略、置き換え、変更を加えて具体化することができる。これらの実施形態やその変形は、発明の範囲や要旨に含まれるとともに、特許請求の範囲に記載された発明とその均等の範囲に含まれる。
【符号の説明】
【００８２】
１  通信機（第１光無線通信機）
２  通信機（第２光無線通信機）
１０  設置支援装置
３１  入力受付部
３２  影響判定部
３３  距離算出部
３４  表示制御部
３５  保存部
３６  読込部
４０  ＵＩ画面
【図１】
2020167617.tif 000003
【図２】
2020167617.tif 000004
【図３】
2020167617.tif 000005
【図４】
2020167617.tif 000006
【図５】
2020167617.tif 000007
【図６】
2020167617.tif 000008
【図７】
2020167617.tif 000009
【図８】
2020167617.tif 000010
【図９】
2020167617.tif 000011
【図１０】
2020167617.tif 000012
【図１１】
2020167617.tif 000013
【図１２】
2020167617.tif 000014
【図１３】
2020167617.tif 000015
【図１４】
2020167617.tif 000016
【図１５】
2020167617.tif 000017